(57)【特許請求の範囲】
【請求項１】
ＥＬ発光部の透明電極層及び背面電極層から引き出されている透明電極層用引出電極及び背面電極層用引出電極に、導電性接着剤を介してそれぞれ電極板が固定されており、
前記各電極板にそれぞれコネクタが対接されており、
前記各コネクタから屈曲形成されている脚部は、前記各電極板及び各引出電極を貫通し、かつその先端部を折り曲げることにより前記各コネクタを前記電極板に固定していることを特徴とするＥＬシート。
【請求項２】
ＥＬ発光部の透明電極層及び背面電極層から引き出されている透明電極層用引出電極及び背面電極層用引出電極に、導電性接着剤を介してそれぞれ電極板が固定されており、
前記各電極板との間に前記各引出電極を挟持するように前記各電極板に対応してそれぞれコネクタが設けられており、
前記各コネクタから屈曲形成されている脚部は、前記各引出電極及び各電極板を貫通し、かつその先端部を折り曲げることにより各電極板と対接し、前記各コネクタを前記各電極板に導通させると共に前記電極板に固定していることを特徴とするＥＬシート。
【請求項３】
請求項１または２において、前記各電極板及び前記各コネクタは金属材料からなるものであり、前記各電極板と前記各コネクタとは電気的機械的に結合されていることを特徴とするＥＬシート。
【請求項４】
請求項３において、前記各電極板と前記各コネクタとの電気的機械的結合は、半田付けまたは金属溶接により成されていることを特徴とするＥＬシート。
【発明の詳細な説明】
【発明の属する技術分野】
本発明は、高温環境で用いられ、引出電極部に大きな力が加わる可能性がある情報機器等に用いられるＥＬシートに関するものである。
【従来の技術】
従来のＥＬシートの第１のものは、ポリエチレンテレフタレート（以下、「ＰＥＴ」という。）からなる透明基板上に、酸化インジウム錫（以下、「ＩＴＯ」という。）の透明電極層を形成した板から、引出電極を突出させた形状に切断する。この板のＩＴＯ面上に、ＥＬ発光部として次の層が順次積層されている。即ち、ＩＴＯ面の上に蛍光体を含む発光層と、絶縁層と、背面電極層、保護層を印刷して形成してある。引出電極において透明電極層用の引出電極は、ＩＴＯ面に導通させて透明電極層用引出電極を形成し、背面電極層用の引出電極は、ＩＴＯ面の上にレジスト層を形成しておき、背面電極層の印刷時に同時に背面電極層用引出電極を形成している。引出電極を金属の電極板とする際には、両引出電極のそれぞれの上に導電性接着剤を印刷により形成し、その上に金属の電極板を置いて熱圧着して固定している。また第２のものは、前記の両引出電極の上に、電極用の金属片をそれぞれ接触させ、金属片の先端を突出させた状態でＥＬ発光部と共に引出電極を保護層で封着し、その後、金属片の突出端を折り曲げる等して電極板としていた。
【発明が解決しようとする課題】
前記の従来技術における第１のものでは、例えば温度環境が８０℃以上であったり、強い外力が引出電極に加わった場合に、接着部が剥離して導通不良になる等、電気的信頼性が不十分であった。また前記の従来技術における第２のものでは、両引出電極とそれぞれの電極片との接触が不安定であり、接触圧を常に一定に保つことが困難であった。さらに、透明基板の材料であるＰＥＴが、クリープにより変形し、または温度変化や、電極片への繰返し応力等によって接触が不十分になり、さらに接触部にさびが発生する等により導通不良になる等の問題点があった。
そこで本発明は、引出電極における電気的信頼性を改善し、高温環境にもまた強い外力にも耐えられる引出電極を有するＥＬシートを提供する。
【課題を解決するための手段】
本発明のＥＬシートは、ＥＬ発光部の透明電極層及び背面電極層から引き出されている透明電極層用引出電極及び背面電極層用引出電極に、導電性接着剤を介してそれぞれ電極板が固定されており、前記各電極板にそれぞれコネクタが対接されており、前記各コネクタから屈曲形成されている脚部は、前記各電極板及び各引出電極を貫通し、かつその先端部を折り曲げることにより前記各コネクタを前記電極板に固定していることを特徴としている。電極板とコネクタとを対接させ、コネクタの脚部を折り曲げて機械的に固定してあるので、電気的信頼性が向上し、高温環境にもまた強い外力にも耐えられる引出電極にできる。
また、ＥＬ発光部の透明電極層及び背面電極層から引き出されている透明電極層用引出電極及び背面電極層用引出電極に、導電性接着剤を介してそれぞれ電極板が固定されており、前記各電極板との間に前記各引出電極を挟持するように前記各電極板に対応してそれぞれコネクタが設けられており、前記各コネクタから屈曲形成されている脚部は、前記各引出電極及び各電極板を貫通し、かつその先端部を折り曲げることにより各電極板と対接し、前記各コネクタを前記各電極板に導通させると共に前記電極板に固定していることを特徴としている。引出電極におけるコネクタの接続位置を、接続する相手側のコネクタに対応させて選択することが可能になる。
前記各電極板及び前記各コネクタは金属材料からなるものであり、前記各電極板と前記各コネクタとは電気的機械的に結合されていることが好ましい。また、前記各電極板と前記各コネクタとの電気的機械的結合は、半田付けまたは金属溶接により成されていることが好ましい。
【発明の実施の形態】
本発明の実施の一形態について、図面を参照して説明する。
図１に示すように、本発明のＥＬシートは、ＥＬ発光部１から引出電極部２が突出しているもので、引出電極部２には、透明電極層用の引出電極部２１と背面電極層用の引出電極部２２とが設けられている。
図２及び図３に示すように、ＥＬ発光部１は、上面に透明電極層が形成されている透明基板３の上に、発光層４と、絶縁層５と、背面電極層６とが順次積層して構成されたものである。また、透明電極層の外周部には、透明電極層用の引出電極部２１を形成するための補助電極３ａが形成されている。補助電極３ａはカーボンまたは銀を用いて形成されている。そして最上面を保護層７で覆われてなるものである。
透明基板３は、ポリエチレンテレフタレート（ＰＥＴ）やポリカーボネイト等で作られたフィルムであり、その上に形成されている透明電極層は、インジウム−錫酸化物（以下、「ＩＴＯ」という。）を蒸着して形成したものである。また、ＩＴＯの針状結晶を樹脂に分散させたペースト状の透光性導電インクを塗布して硬化させて形成してもよい。
発光層４は、透明電極層の上面に発光インクを印刷することにより形成される。発光インクを構成する蛍光体としては、Ｃｕをドープした硫化亜鉛（ＺｎＳ）を用い、この蛍光体に窒化物がコーティングされている。発光インクは、窒化物コーティングした蛍光体と、フッ化ビニリデンと六フッ化プロピレンの共重合体を溶剤としてのメチルエチルケトンに溶かしたフッ素樹脂バインダーとを混合して攪拌して発光インクを作る。この発光インクをスクリーン印刷法等の方法によって透明電極層の上面に印刷し、その後加熱し乾燥させて発光層４を形成する。
絶縁層５は、発光層４の上面に形成される。絶縁層５を形成するインクは、チタン酸バリウム（ＢａＴｉＯ3 ）からなる高誘電体物質と、前記のフッ素樹脂バインダーとを混合して攪拌することによって作る。このインクを用いて、前記の発光層４の形成と同様な方法により絶縁層５を形成する。
背面電極層６は、絶縁層５の上面にカーボンインクを印刷し、加熱し乾燥することによって形成される。カーボンインクは、導電体であるカーボン粉とバインダーとしてのポリエステル樹脂とを混合して形成されている。なお、この背面電極層６は、カーボン粉と銀粉及び銅粉とバインダーであるポリエステル樹脂とによって構成したものでも良い。
図２に示す透明電極層用の引出電極部２１を形成するには、透明電極層の所定の位置にレジスト層８を形成し、補助電極３ａの形成時に、同時にレジスト層８の上に透明電極層用引出電極２１ａを形成する。
図３に示す背面電極層用の引出電極部２２を形成するには、発光層４と絶縁層５の端面を塞ぐようにレジスト層８を形成し、背面電極層６の形成時に、同時に背面電極層用引出電極２２ａを形成する。
この後で保護層７が形成されるのであるが、保護層７は、ポリエステル、ポリイミド等が用いられるもので、電気的に絶縁できるものであればよく、スクリーン印刷法等により形成する。保護層７は透明電極層用の引出電極部２１では、透明電極層用引出電極２１ａの内端部を覆っており、背面電極層用の引出電極部２２では、背面電極層用引出電極２２ａの内端部を覆っている（図１参照）。
図２及び図３に示すように、透明電極層用引出電極２１ａと背面電極層用引出電極２２ａの保護層７で覆われないで露出している部分に、導電性接着剤９が塗布され、電極板２１ｂ及び２２ｂをこの上に載置して加熱加圧して接着してある。導電接着剤９は図４には透明電極層用の引出電極部２１と背面電極層用の引出電極部２２とで別々に形成してあるが、導電性接着剤９として異方導電性接着剤を用いれば、一体に連続して設けることもできる。したがって透明電極層用引出電極２１ａと電極板２１ｂ、背面電極層用引出電極２２ａと電極板２２ｂは全面で導通状態になっている。
電極板２１ｂ及び２２ｂの上に、コネクタ２３及び２４を対接させ、脚部２３ａ、２４ａで電気的機械的に強固に結合してある。即ち、電極板２１ｂ、２２ｂおよびコネクタ２３、２４は、導電性を有する金属材料で形成されている。そして、図４に示すように、コネクタ２３，２４には、その幅方向の両側から脚部２３ａ，２４ａを９０度に屈曲させて形成してある。この脚部２３ａ，２４ａを、積層状態の電極板２１ｂまたは２２ｂ、導電性接着剤９、引出電極２１ａまたは２２ａ、レジスト層８、透明基板３を貫通させて透明基板３の下面から突出させる。突出する脚部の先端部２３ｂ，２４ｂを折り曲げてかしめることにより、コネクタ２３，２４は強固に結合される。これによりコネクタ２３，２４は、電極板２１ｂ，２２ｂと全面で対接し、引出電極２１ａ，２２ａとの間の導通は安定し確実になる。電極板２１ｂ、２２ｂとコネクタ２３，２４との対接状態を一層安定させるために、両者に跨るように半田１０（図１にも図示）を用いて溶着してある。
図２では、電極板２１ｂとコネクタ２３との導通を確実にするために、半田１０を用いて溶着している。これに対して図５に示すものでは、電極板２１ｂとコネクタ２３との対接面で金属溶接して溶接部１１とし、導通を確実にしている。図示しないが、電極板２２ｂとコネクタ２４との間の対接面でも金属溶接されるものである。その他の構成は実質的に同一であるので、同一の符号を付している。
なお、電極板２１ｂ、２２ｂは導電性を有するものであればよく、金属材料で形成される場合に限らず、導電性樹脂等で形成するようにしてもよい。
また、電極板２１ｂ、２２ｂは省略するようにしてもよい。この場合には、引出電極２１ａ、２２ａに導電性接着剤９を介してそれぞれコネクタ２３，２４が接着固定される。
図２及び図３に示したコネクタ２３，２４は、メスタイプのものである。これに対して図６には、透明電極層用の引出電極部２１においてオスタイプのコネクタ２５を用いた例を示してある。背面電極層用の引出電極部においても同一の構成となるので図示を省略している。コネクタ２５は、電極板２１ｂとの間に引出電極２１ａを挟持するように、電極板２１ｂに対応して透明基板３の下面に設けられている。脚部２５ａは透明基板３の下面側から、前記と同様な積層部を貫通させて上面の電極板２１ｂから上面に突出されている。先端部２５ｂを折り曲げてかしめることにより、コネクタ２５は脱落不能に結合される。コネクタ２５は脚部２５ａの先端部２５ｂを介して電極板２１ｂに導通し、引出電極２１ａに導通する。この電気的結合および機械的結合をより確実にするために、先端部２５ｂと電極板２１ｂに跨るように半田１０を用いて溶着してある。
【発明の効果】
本発明のＥＬシートは、コネクタを導電性接着剤で接着するばかりでなく、脚部を折り曲げて機械的にも固定してあるので、引出電極において電気的信頼性が向上し、高温環境にもまた強い外力にも耐えることができる。電極板とコネクタとを対接させ、コネクタの脚部を折り曲げて機械的に固定してあるので、電気的信頼性が一層向上する。電極板に対応して引出電極を挟持するようにコネクタが設けてあり、コネクタの脚部は電極板を貫通してその先端部を折り曲げて機械的に固定してあるので、電気的導通を確実に得られると同時に、強固に固定され、引出電極におけるコネクタの接続位置を、接続する相手側のコネクタに対応させることが容易にできる。
【図面の簡単な説明】
【図１】  本発明の実施の一形態を示す平面図である。
【図２】  図１Ａ−Ａ線拡大断面図である。
【図３】  図１Ｂ−Ｂ拡大断面図である。
【図４】  図１Ｃ−Ｃ拡大断面図である。
【図５】  本発明の実施の他の形態を示す拡大断面図である。
【図６】  本発明の実施の更に他の形態を示す拡大断面図である。
【符号の説明】
１                      ＥＬ発光部
３                      透明電極層（透明基板）
６                      背面電極層
９                      導電性接着剤
１０                    半田
１１                    金属溶接
２１ａ                  透明電極用引出電極
２２ａ                  背面電極用引出電極
２１ｂ，２２ｂ          電極板
２３，２４，２５        コネクタ
２３ａ，２４ａ，２５ａ  脚部
２３ｂ，２４ｂ，２５ｂ  脚部の先端部
【図１】
0003927840.tif 000002
【図２】
0003927840.tif 000003
【図３】
0003927840.tif 000004
【図４】
0003927840.tif 000005
【図５】
0003927840.tif 000006
【図６】
0003927840.tif 000007